【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
上下方向にのびるとともに幅方向が通風方向を向いた複数の扁平状冷媒流通管部が、互いに間隔をおいて並列状に配置されており、隣り合う冷媒流通管部どうしの間に通風間隙が形成され、全通風間隙のうち一部の複数の通風間隙に、蓄冷材が封入された蓄冷材容器が配置され、残りの通風間隙にフィンが配置された蓄冷機能付きエバポレータであって、
蓄冷材容器が、冷媒流通管部に接合された容器本体部と、容器本体部の風下側縁部に連なるとともに冷媒流通管部よりも通風方向外側に張り出すように設けられた外方張り出し部とを備えており、蓄冷材容器が配置された通風間隙の隣の通風間隙に配置されたフィンが、冷媒流通管部に接合されたフィン本体部と、フィン本体部の風下側縁部に連なるとともに冷媒流通管部よりも通風方向外側に張り出すように設けられた外方張り出し部とを備えており、蓄冷材容器の外方張り出し部の両側面のうち少なくとも一面に、フィンの外方張り出し部が接している蓄冷機能付きエバポレータ。
【請求項２】
蓄冷材容器が配置された通風間隙の両側の通風間隙にそれぞれフィンが配置され、蓄冷材容器の外方張り出し部の両側面に、フィンの外方張り出し部が接している請求項１記載の蓄冷機能付きエバポレータ。
【請求項３】
蓄冷材容器の外方張り出し部が、上下方向の全長にわたって容器本体部に対して冷媒流通管部の並び方向外方に膨出しているとともに、外方張り出し部の厚み方向の寸法が容器本体部の厚み方向の寸法よりも大きくなっている請求項１または２記載の蓄冷機能付きエバポレータ。
【請求項４】
蓄冷材容器の外方張り出し部が、厚み方向の寸法が容器本体部の厚み方向の寸法と等しくなっている基部と、基部に上下方向に間隔をおいて設けられかつ基部に対して冷媒流通管部の並び方向外方に膨出した複数の突出部とよりなる請求項１または２記載の蓄冷機能付きエバポレータ。
【請求項５】
フィンの外方張り出し部が、蓄冷材容器の外方張り出し部にろう付されている請求項１〜４のうちのいずれかに記載の蓄冷機能付きエバポレータ。
【請求項６】
蓄冷材容器が、周縁部どうしが互いに接合された２枚の金属板により形成され、両金属板のうち少なくとも一方の金属板を左右方向外方に膨出させることにより容器本体部および外方張り出し部が設けられている請求項１〜５のうちのいずれかに記載の蓄冷機能付きエバポレータ。
【請求項７】
蓄冷材容器内に、容器本体部から外方張り出し部に至るインナーフィンが配置されている請求項１〜６のうちのいずれかに記載の蓄冷機能付きエバポレータ。
【請求項８】
インナーフィンがコルゲート状であり、通風方向にのびる波頂部、通風方向にのびる波底部、および波頂部と波底部とを連結する連結部よりなる請求項７記載の蓄冷機能付きエバポレータ。
【請求項９】
インナーフィンがオフセット状であり、通風方向にのびる波頂部、通風方向にのびる波底部、および波頂部と波底部とを連結する連結部を有する波状帯板が、通風方向に複数並べられるとともに相互に一体に連結されることにより形成され、通風方向に隣り合う２つの帯板の波頂部どうしおよび波底部どうしが上下方向に位置ずれしている請求項７記載の蓄冷機能付きエバポレータ。
【請求項１０】
蓄冷材容器の容器本体部が、冷媒流通管部にろう付されており、蓄冷材容器の容器本体部の外面における冷媒流通管部にろう付された部分に溝が形成されている請求項１〜９のうちのいずれかに記載の蓄冷機能付きエバポレータ。
【請求項１１】
蓄冷材容器の容器本体部の外面における冷媒流通管部にろう付された部分に形成された溝が格子状である請求項１０記載の蓄冷機能付きエバポレータ。
【請求項１２】
幅方向を通風方向に向け、かつ通風方向に間隔をおいて配置された複数の扁平状冷媒流通管部からなる組を備えており、蓄冷材容器の容器本体部が、当該組の全冷媒流通管部に跨るように配置されて冷媒流通管部に接合されている請求項１〜１１のうちのいずれかに記載の蓄冷機能付きエバポレータ。
【手続補正２】
【補正対象書類名】明細書
【補正対象項目名】００１４
【補正方法】変更
【補正の内容】
【００１４】
1)上下方向にのびるとともに幅方向が通風方向を向いた複数の扁平状冷媒流通管部が、互いに間隔をおいて並列状に配置されており、隣り合う冷媒流通管部どうしの間に通風間隙が形成され、全通風間隙のうち一部の複数の通風間隙に、蓄冷材が封入された蓄冷材容器が配置され、残りの通風間隙にフィンが配置された蓄冷機能付きエバポレータであって、
蓄冷材容器が、冷媒流通管部に接合された容器本体部と、容器本体部の風下側縁部に連なるとともに冷媒流通管部よりも通風方向外側に張り出すように設けられた外方張り出し部とを備えており、蓄冷材容器が配置された通風間隙の隣の通風間隙に配置されたフィンが、冷媒流通管部に接合されたフィン本体部と、フィン本体部の風下側縁部に連なるとともに冷媒流通管部よりも通風方向外側に張り出すように設けられた外方張り出し部とを備えており、蓄冷材容器の外方張り出し部の両側面のうち少なくとも一面に、フィンの外方張り出し部が接している蓄冷機能付きエバポレータ。
【手続補正３】
【補正対象書類名】明細書
【補正対象項目名】００２８
【補正方法】変更
【補正の内容】
【００２８】
さらに、蓄冷材容器が配置された通風間隙の隣の通風間隙に配置されたフィンが、冷媒流通管部に接合されたフィン本体部と、フィン本体部の風下側縁部に連なるとともに冷媒流通管部よりも通風方向外側に張り出すように設けられた外方張り出し部とを備えており、蓄冷材容器の外方張り出し部の両側面のうち少なくとも一面に、フィンの外方張り出し部が接しているので、圧縮機が作動している際に、蓄冷材容器内の蓄冷材に冷熱を蓄える場合には、蓄冷材は、冷媒流通管部内を流れる冷媒によって冷却されるとともに、通風間隙を流れてくる温度が低くなった空気によって冷却されるので、蓄冷材を効率良く冷却することができ、蓄冷性能が向上する。一方、エンジンが停止して圧縮機が停止した際には、蓄冷材容器の容器本体部内の蓄冷材の有する冷熱が、その両側の冷媒流通管部を経て隣の通風間隙を通過する空気に伝えられるとともに、蓄冷材容器の外方張り出し部内の蓄冷材の有する冷熱が、外方張り出し部から少なくとも一側面に接合されているフィンを介して通風間隙を通過する空気に伝えられるので、放冷性能が向上する。
【手続補正４】
【補正対象書類名】明細書
【補正対象項目名】００４９
【補正方法】変更
【補正の内容】
【００４９】
アウターフィン(17)は、前後方向にのびる波頂部、前後方向にのびる波底部、および波頂部と波底部とを連結する連結部よりなるコルゲート状である。アウターフィン(17)は、前側冷媒流通管(13)の前側縁よりも後方に位置し、かつ各組(14)の前後の冷媒流通管(13)にろう付されたフィン本体部(31)と、フィン本体部(31)の前側縁に連なるとともに前側冷媒流通管(13)の前側縁よりも前方（通風方向外側）に張り出すように設けられた外方張り出し部(32)とを備えている。そして、蓄冷材容器(16)が配置された通風間隙(15)の両隣の通風間隙(15)に配置されたアウターフィン(17)の外方張り出し部(32)が、蓄冷材容器(16)の外方張り出し部(22)の左右両側面にろう付されている。また、隣接するアウターフィン(17)の外方張り出し部(32)間にはアルミニウム製スペーサ(33)が配置されており、外方張り出し部(32)にろう付されている。